(57)【要約】【課題】モバイルテレビの番組の見逃した部分を回復するモバイル装置を提供する。【解決手段】第一放送の間に番組を受信し、同番組から破損セグメントを検出し、更に第一放送の間に検出された破損セグメントの第一時間と第二時間を保存する。第一時間は破損セグメントの開始に対応し、第二時間は破損セグメントの終了に対応する。最後に、第一放送の間に検出された破損セグメントの第一時間と第二時間に基づいて、同一番組の第二放送の間に置換セグメントを取り込むかサーバーからダウンロードする。【選択図】図３
2009105869.tif 000002
【特許請求の範囲】
【請求項１】
モバイルテレビの番組を録画する方法であって、
第一放送の間に番組を受信する段階と
番組の破損セグメントを検出する段階と、
第一放送の間に検出された破損セグメントの開始に対応する第一時間とその終了に対応する第二時間を保存する段階と、
第一放送の間に検出された破損セグメントの第一時間と第二時間に基づいて同一番組の第二放送の間に置換セグメントを取り込む段階とを含むことを特徴とする番組録画方法。
【請求項２】
前記方法は更に、
破損セグメントを前記番組の第二放送の間に取り込まれた置換セグメントに置き換える段階を含むことを特徴とする請求項１記載の番組録画方法。
【請求項３】
前記方法は更に、
破損セグメントから置換セグメントへの置き換えを完成させた後に通知メッセージを表示する段階を含むことを特徴とする請求項２記載の番組録画方法。
【請求項４】
モバイルテレビの番組を録画する方法であって、
放送の間に番組を受信する段階と、
番組の破損セグメントを検出する段階と、
放送の間に検出された破損セグメントの開始に対応する第一時間とその終了に対応する第二時間を保存する段階と、
上記第一時間と第二時間に基づいて、全番組を有するサーバーから番組の置換セグメントをダウンロードする段階とを含むことを特徴とする番組録画方法。
【請求項５】
前記方法は更に、
破損セグメントをサーバーからダウンロードされた置換セグメントに置き換える段階を含むことを特徴とする請求項４記載の番組録画方法。
【請求項６】
前記方法は更に、
サーバーから置換セグメントをダウンロードする前にサーバーとファイル伝送プロトコル接続を確立する段階を含むことを特徴とする請求項５記載の番組録画方法。
【請求項７】
前記方法は更に、
破損セグメントから置換セグメントへの置き換えを完成させた後に通知メッセージを表示する段階を含むことを特徴とする請求項６記載の番組録画方法。
【請求項８】
モバイルテレビの番組を録画する方法であって、
第一放送の間に番組を受信する段階と
番組の破損セグメントを検出する段階と、
上記番組の第一放送の間に検出された破損セグメントの始点となる第一時間を保存する段階と、
上記番組の第一放送の第一時間後に、同第一時間に同番組の第一放送の停止をイネーブルするタイムシフトモードをイネーブルする段階と、
タイムシフトモードにおいて上記番組の残余セグメントの再生を再開する段階とを含むことを特徴とする番組録画方法。
【請求項９】
前記方法は更に、
再生再開の前に第二放送の間に第一時間から残余セグメントを再び取り込み、破損セグメントを残余セグメントに置き換える段階を含むことを特徴とする請求項８記載の番組録画方法。
【請求項１０】
前記方法は更に、
再生再開の前、前記第一時間から始まる前記番組の残余セグメントをサーバーからダウンロードし、破損セグメントを残余セグメントに置き換える段階を含むことを特徴とする請求項８記載の番組録画方法。
【請求項１１】
前記方法は更に、サーバーから残余セグメントをダウンロードする前にサーバーとファイル伝送プロトコル接続を確立する段階を含むことを特徴とする請求項１０記載の番組録画方法。
【請求項１２】
前記方法は更に、
破損セグメントから残余セグメントへの置き換えを完成させた後に通知メッセージを表示する段階を含むことを特徴とする請求項９記載の番組録画方法。
【請求項１３】
前記方法は更に、
破損セグメントから残余セグメントへの置き換えを完成させた後に通知メッセージを表示する段階を含むことを特徴とする請求項１０記載の番組録画方法。
【請求項１４】
モバイルテレビの番組を録画できるモバイル装置であって、
モバイル装置の機能を実行するコントローラと、
第一放送の間に番組を受信する記憶装置と、
コントローラに結合されてプログラムコードを実行してコントローラを制御し、第一放送の間に破損セグメントを検出する検出器を備えたプロセッサと、
プロセッサに結合されてプログラムコードを記憶するメモリーとを含み、そのうちプログラムコードは、
第一放送の間に検出された破損セグメントの開始に対応する第一時間とその終了に対応する第二時間を保存するコードと、
上記破損セグメントの第一時間と第二時間に基づいて、同破損セグメントを元の番組から取り出した置換セグメントに置き換えるコードとを含むことを特徴とするモバイル装置。
【請求項１５】
前記プログラムコードは更に、
破損セグメントを前記番組の第二放送の間に取り込まれた置換セグメントに置き換えるコードを含むことを特徴とする請求項１４記載のモバイル装置。
【請求項１６】
前記プログラムコードは更に、
破損セグメントを全番組を有するサーバーからダウンロードした置換セグメントに置き換えるコードを含むことを特徴とする請求項１４記載のモバイル装置。
【請求項１７】
前記プログラムコードは更に、
破損セグメントから置換セグメントへの置き換えを完成させた後に通知メッセージを表示するコードを含むことを特徴とする請求項１６記載のモバイル装置。
【請求項１８】
モバイルテレビの番組の録画時の破損期間を回復できるモバイル装置であって、
モバイル装置の機能を実行するコントローラと、
第一放送の間に番組を受信する記憶装置と、
コントローラに結合されてプログラムコードを実行してコントローラを制御し、第一放送の間に破損セグメントを検出する検出器を備えたプロセッサと、
プロセッサに結合されてプログラムコードを記憶するメモリーとを含み、そのうちプログラムコードは、
上記番組の第一放送の間に破損セグメントの始点となる第一時間を保存するコードと、
上記番組の第一放送の第一時間後に、同第一時間に同番組の第一放送の停止をイネーブルするタイムシフトモードをイネーブルするコードと、
タイムシフトモードにおいて上記番組の残余セグメントの再生を再開するコードとを含むことを特徴とするモバイル装置。
【請求項１９】
前記モバイル装置は更に、
再生再開の前、第二放送の間に第一時間から残余セグメントを再び取り込み、破損セグメントを残余セグメントに置き換えるコードを含むことを特徴とする請求項１８記載のモバイル装置。
【請求項２０】
前記モバイル装置は更に、
再生再開の前に前記第一時間から始まる前記番組の残余セグメントをサーバーからダウンロードし、破損セグメントを残余セグメントに置き換えるコードを含むことを特徴とする請求項１８記載のモバイル装置。
【請求項２１】
前記プログラムコードは更に、
サーバーから残余セグメントをダウンロードする前にサーバーとファイル伝送プロトコル接続を確立するコードを含むことを特徴とする請求項２０記載のモバイル装置。
【請求項２２】
前記プログラムコードは更に、
破損セグメントから残余セグメントへの置き換えを完成させた後に通知メッセージを表示するコードを含むことを特徴とする請求項１９記載のモバイル装置。
【請求項２３】
前記プログラムコードは更に、
破損セグメントから残余セグメントへの置き換えを完成させた後に通知メッセージを表示する段階を含むことを特徴とする請求項２０記載のモバイル装置。
【発明の詳細な説明】
【技術分野】
【０００１】
本発明はモバイルテレビに関し、特にモバイルテレビ放送の欠落部分を回復する方法及び関連したモバイル装置に関する。
【背景技術】
【０００２】
携帯電話は近年、大きさと重量のみならず、処理電力、内蔵メモリ、ディスプレイの解像度と色の深みで大いに発展している。このような改善は、従来の携帯電話ユーザーが利用できない機能、例えばパーソナルオーガナイザー、計算機、Ｊａｖａ（登録商標）アプリケーション、ミュージック・ビデオプレイヤーなどの機能を携帯電話に内蔵するための下地を作った。
【０００３】
上に述べた技術的な改善に伴って、新しい通信プロトコルと高いデータレートはいくつかの新しい携帯サービスを可能にした。そのうちひとつはモバイルテレビである。その名に示すように、モバイルテレビは携帯電話で視聴できるテレビタイプの放送を提供する。モバイルテレビは複数の技術を利用した放送であって、そのうち最も普及しているのはＤＶＢ（Ｄｉｇｉｔａｌ  Ｖｉｄｅｏ  Ｂｒｏａｄｃａｓｔｉｎｇ）プロジェクトが開発したＤＶＢ−Ｈ（Ｄｉｇｉｔａｌ  Ｖｉｄｅｏ  Ｂｒｏａｄｃａｓｔｉｎｇ  −  Ｈａｎｄｈｅｌｄ）と、韓国が開発したＤＭＢ（Ｄｉｇｉｔａｌ  Ｍｕｌｔｉｍｅｄｉａ  Ｂｒｏａｄｃａｓｔｉｎｇ）など２種類がある。それいずれも、モバイルテレビで利用可能なプログラムを基地タワーまたは衛星によるデータ信号伝送を通して、携帯電話または他のモバイル装置に向かって放送することができる。
【０００４】
モバイルテレビで利用可能なプログラムは空中を通してモバイル装置に伝わる放送である事実から、特定の条件ではデータ信号が欠落するように思われる。言い換えれば、モバイル装置は受信器で正常に受信・復号するにデータ信号があまりに弱いかはっきりしない環境に入ることがしばしばあるように思われる。図１を参照する。図１は信号の欠落を示す説明図である。信号は第一時間ｔ１の前にモバイル装置により正常に受信される。同信号はモバイル装置が信号を再び受信する第二時間ｔ２まで欠落する。信号の欠落は、モバイル装置のユーザーがエレベータかその他受信が悪い環境に入ることに起因することがありうる。この場合、３種類の状況が起こりうる。第一、データ信号は劣化して番組の品質を番組が見れない程度まで損なうことがありうる。第二、データ信号は一定の時間か複数の時間に欠落して後に回復されることにより、ユーザーが番組の一部を見逃すこと（例えば図１に示す状況）がありうる。第三、データ信号は欠落して回復不可能になることがありうる。いずれの場合においても、ユーザーは映像の当該部分を飛ばすか、同一番組の次回の再生を待って当該映像を再び鑑賞するほかない。同状況が録画過程に発生すれば、レコーダーが当該部分を飛ばすか、またはユーザーが同一番組の再放送のために他の録画スケジュールを作成するほかない。
【特許文献１】米国特許第６５０５３４７号明細書
【特許文献２】米国特許第６４８９９９９号明細書
【特許文献３】米国特許第６３４３１７９号明細書
【発明の開示】
【課題を解決するための手段】
【０００５】
本発明によれば、モバイルテレビの番組を録画する方法は、第一放送の間に番組を受信する段階と、番組の破損セグメントを検出する段階と、第一放送の間に検出された破損セグメントの第一時間と第二時間を保存する段階とを含む。第一時間は破損セグメントの開始に対応し、第二時間は破損セグメントの終了に対応する。上記方法は更に、第一放送の間に検出された破損セグメントの第一時間と第二時間に基づいて同一番組の第二放送の間に置換セグメントを取り込む段階を含む。
【０００６】
本発明の実施例２によれば、モバイルテレビの番組を録画する方法は、放送の間に番組を受信する段階と、番組の破損セグメントを検出する段階と、放送の間に検出された破損セグメントの第一時間と第二時間を保存する段階とを含む。第一時間は破損セグメントの開始に対応し、第二時間は破損セグメントの終了に対応する。上記方法は更に、第一時間と第二時間に基づいてサーバーから番組の置換セグメントをダウンロードする段階を含む。そのうちサーバーは全番組を有する。
【０００７】
本発明の実施例３によれば、モバイルテレビの番組を録画する方法は、第一放送の間に番組を受信する段階と番組の破損セグメントを検出する段階と、番組の第一放送の間に検出された破損セグメントの第一時間と第二時間を保存する段階とを含む。第一時間は破損セグメントの始点である。上記方法は更に、上記番組の第一放送の第一時間後にタイムシフトモードをイネーブルする段階を含む。タイムシフトモードは、第一時間に番組の第一放送の停止をイネーブルする。最後に、タイムシフトモードにおいて番組の残余セグメントの再生は再開される。
【０００８】
本発明によれば、モバイルテレビの番組を録画できるモバイル装置は、モバイル装置の機能を実行するコントローラと、第一放送の間に番組を受信する記憶装置と、コントローラに結合されてプログラムコードを実行してコントローラを制御し、第一放送の間に破損セグメントを検出する検出器を備えたプロセッサと、プロセッサに結合されてプログラムコードを記憶するメモリーとを含む。プログラムコードは、第一放送の間に検出された破損セグメントの開始に対応する第一時間とその終了に対応する第二時間を保存するコードと、破損セグメントの第一時間と第二時間に基づいて、破損セグメントを元の番組から取り出した置換セグメントに置き換えるコードとを含む。
【０００９】
本発明の実施例３によれば、モバイルテレビの番組の録画時の破損期間を回復できるモバイル装置は、モバイル装置の機能を実行するコントローラと、第一放送の間に番組を受信する記憶装置と、コントローラに結合されてプログラムコードを実行してコントローラを制御し、第一放送の間に破損セグメントを検出する検出器を備えたプロセッサと、プロセッサに結合されてプログラムコードを記憶するメモリーとを含む。プログラムコードは、番組の第一放送の間に破損セグメントの第一時間を保存するコードと、番組の第一放送の第一時間後にタイムシフトモードをイネーブルするコードと、タイムシフトモードにおいて番組の残余セグメントの再生を再開するコードとを含む。上記第一時間は破損セグメントの始点であって、上記タイムシフトモードは第一時間に番組の第一放送の停止をイネーブルする。
【発明を実施するための最良の形態】
【００１０】
かかる装置の特徴を詳述するために、具体的な実施例を挙げ、図示を参照して以下に説明する。
【００１１】
図２を参照する。図２は本発明によるモバイル装置２００の説明図である。モバイル装置２００は携帯電話、スマートフォン、ＰＤＡ、携帯型プレイヤー、またはポケットＰＣであることが可能で、コントローラ２０、プロセッサ２２、メモリ２４を含む。コントローラはモバイル装置２００の機能を実行する。プロセッサ２２は、メモリ２４に記憶されたプログラムコード２４０に基づいてコントローラ２０を制御するように、コントローラ２０とメモリ２４に結合されている。プロセッサ２２は放送の破損セグメントを検出する手段または検出部を含む。検出部はハードウェア、ソフトウェア、または組み込み機器によって実現できる。
【００１２】
図１に示す状況を更に説明するものとして図３と図４を参照する。図３は本発明によるモバイルテレビ信号の回復の説明図である。図４はモバイルテレビにおいて番組の破損セグメントを回復するプロセス３０の好ましい実施例のフローチャートである。プロセス３０は図２に示すプログラムコード２４０としてみなすことができ、以下のステップを含む。
ステップ３００：開始。
ステップ３０１：第一放送の間に番組を受信する。
ステップ３０２：番組の破損セグメントを検出する。
ステップ３０３：破損セグメントの第一時間と第二時間を保存する。
ステップ３０４：同一番組の第二放送の間に置換セグメントを取り込む。
ステップ３０５：終了。
【００１３】
図１に示すように、信号は第一時間ｔ１に欠落して、後に第二時間ｔ２に回復することがありうる。例えば、第一時間ｔ１はモバイル装置がエレベーターか地下室など、モバイル装置の受信器で正常に受信・復号するためにデータ信号があまりに弱いかはっきりしない環境に入る時間であって、第二時間Ｔ２は、モバイル装置が受信器で正常に受信するためにデータ信号が強い環境に入る時間である。このことは図３にも示されている。図３は、第一放送の間に番組を受信する（ステップ３０１）ときに、第一時間Ｔ１から第二時間Ｔ２までの放送の破損セグメント（点線で示される）が検出される（ステップ３０２）ことを示す。本発明では第一時間Ｔ１と第二時間Ｔ２はいずれもステップ３０３で記録される。その後、ステップ３０４において、同番組の第二放送の間に、破損セグメントに対応する置換セグメントを取り込むことができる。置換セグメントとしては同番組の第二放送の間に、第二放送について第一時間Ｔ１から第二時間Ｔ２を取り込むことができる。注意すべきは、同番組の第二放送は第一放送と重なることができる。言い換えれば、「第一」、「第二」という用語を用いることは、必ずしも第一放送と第二放送の時間的な順序関係を示すわけではない。
【００１４】
上記番組の第二放送の間に取り込まれた置換セグメントはその後、同番組の第一放送の間に取り込まれた番組の部分と連結することができる。携帯電話はユーザーに対して、番組の破損セグメントが回復されたとの通知を表示することができ、番組はすべて視聴できる。
【００１５】
図５を参照する。図５は本発明の実施例２によるモバイルテレビにおいて番組の破損セグメントを回復するプロセス４０のフローチャートである。プロセス４０は図２に示すプログラムコード２４０としてみなすことができ、以下のステップを含む。
ステップ４００：開始。
ステップ４０１：放送の間に番組を受信する。
ステップ４０２：番組の破損セグメントを検出する。
ステップ４０３：放送の間に検出された破損セグメントの第一時間と第二時間を保存する。
ステップ４０４：上記第一時間と第二時間に基づいてサーバーから番組の置換セグメントをダウンロードする。
ステップ４０５：終了。
【００１６】
実施例２では、第一放送の間に番組を受信する（ステップ４０１）ときに同番組の破損セグメントが検出された（ステップ４０２）場合、第一時間Ｔ１と第二時間Ｔ２は両方とも記録する（ステップ４０３）ことができる。このことは図３に示され、破損セグメントは点線で示されている。その後、ステップ４０４において、番組の破損セグメントを置き換えるための番組の置換セグメントを提供できるサーバーとの接続が確立され（例えばＦＴＰ、ストリーミングなど）、モバイル装置はサーバーから番組の置換セグメントをダウンロードすることができる。サーバーにはダウンロード用の全番組がある。その後、携帯電話はダウンロードされた番組の置換セグメントを第一放送の間に取り込まれた番組の部分と連結することができる。携帯電話は、番組が完全で鑑賞可能という旨の通知を表示することもできる。
【００１７】
図６と図７を参照する。図６と図７は本発明の実施例３による信号破損時にタイムシフト機能と回復プロセスを処理して再生を遅延させるプロセス５０の説明図である。プロセス５０は図２に示すプログラムコード２４０としてみなすことができ、以下のステップを含む。
ステップ５００：開始。
ステップ５０１：第一放送の間に番組を受信する。
ステップ５０２：番組の破損セグメントを検出する。
ステップ５０３：番組の第一放送の間に検出された破損セグメントの第一時間を保存する。
ステップ５０４：番組の第一放送の第一時間後にタイムシフトモードをイネーブルする。
ステップ５０５：タイムシフトモードで番組の残余セグメントの再生を再開する。
ステップ５０６：終了。
【００１８】
実施例３では、番組の第一放送の間（ステップ５０１）に破損セグメントが検出される（ステップ５０２）と第一時間Ｔ１を記録する（ステップ５０３）ことができる。このことは図６に示され、破損セグメントは点線で示されている。その後、ステップ５０４において、携帯電話はＴ１後にタイムシフト機能をイネーブルする。このタイムシフトモードは第一時間Ｔ１に番組の第一放送を停止することを可能にする。ステップ５０５において、携帯電話はタイムシフトモードで番組の残余セグメントの再生を再開する。
【００１９】
映像の一部を飛ばすかまたは映像を再び鑑賞するために同一番組の次の再生を待つという従来の技術と比べて、本発明は信号が欠落したかはっきりしないときに見逃した放送の１か複数の破損セグメントを自動的に回復する。破損セグメントの回復は番組の第二放送の間に置換セグメントを記録するか、またはサーバーから置換セグメントをダウンロードすることで達成できる。本発明もタイムシフト機能と回復プロセスをイネーブルし、ユーザーが後に番組鑑賞を再開することを可能にする。本発明はこのようにしてユーザーの便宜を図り、システム資源を守る。
【００２０】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２１】
【図１】従来の技術においてモバイルテレビ信号の欠落を示す説明図である。
【図２】本発明によるモバイル装置の説明図である。
【図３】本発明によるモバイルテレビ信号の回復の説明図である。
【図４】本発明の好ましい実施例によるモバイルテレビにおいて番組の破損セグメントを回復する方法の説明図である。
【図５】本発明の実施例２によるモバイルテレビにおいて番組の破損セグメントを回復する方法の説明図である。
【図６】本発明の実施例３によるモバイルテレビ信号の回復の説明図である。
【図７】本発明の実施例３による信号破損時にタイムシフト機能と回復プロセスを処理して再生を遅延させる方法の説明図である。
【符号の説明】
【００２２】
２００  モバイル装置
２０    コントローラ
２２    プロセッサ
２４０  プログラムコード
【図１】
2009105869.tif 000003
【図２】
2009105869.tif 000004
【図３】
2009105869.tif 000005
【図４】
2009105869.tif 000006
【図５】
2009105869.tif 000007
【図６】
2009105869.tif 000008
【図７】
2009105869.tif 000009